(57)【要約】      （修正有）【課題】夜間の運動時に使用する照明による消費電力を抑えることで自装置の電池寿命へ与える影響を少なくする。【解決手段】表示部３２を光らせる点灯部３３と、点灯部３３が点灯可能であることを報知する報知部３４と、加速度センサー２１により自装置の姿勢を検出する姿勢検出部２０と、制御部４０とを備え、制御部４０は、予め決められたタイミング毎に点灯部３３を点灯させ、点灯部３３を点灯させる前に報知部３４から報知させる。【選択図】図１
2013156155.tif 000002
【特許請求の範囲】
【請求項１】
表示部を光らせる点灯部と、
前記点灯部が点灯可能であることを報知する報知部と、
前記点灯部を点灯させる前に前記報知部から報知させる制御部と、
を備えることを特徴とする計時装置。
【請求項２】
前記制御部は、予め決められたタイミング毎に点灯部を点灯させ、前記点灯部を点灯させる前に前記報知部から報知させることを特徴とする請求項１に記載の計時装置。
【請求項３】
自装置の姿勢を検出する姿勢検出部と、
前記制御部は、予め決められたタイミング毎に前記報知部から報知させ、前記報知部が報知をした後に、前記姿勢検出部が検出した姿勢が予め決められた姿勢の範囲にある場合に前記点灯部を点灯させることを特徴とする請求項１に記載の計時装置。
【請求項４】
前記制御部は、前記報知部が報知をした時から予め決められた一定時間内で、最初に前記姿勢検出部が検出した姿勢が予め決められた姿勢の範囲に入る場合のみ、前記点灯部を点灯させることを特徴とする請求項３に記載の計時装置。
【請求項５】
前記制御部は、前記報知部が報知をした時から予め決められた一定時間内で、前記姿勢検出部が検出した姿勢が予め決められた姿勢の範囲に入る毎に、前記点灯部を点灯させることを特徴とする請求項３に記載の計時装置。
【請求項６】
前記制御部は、走行に関する情報に基づいて、前記タイミングを決定することを特徴とする請求項２から５のいずれか一項に記載の計時装置。
【請求項７】
前記タイミングは時間であり、前記制御部は、前記走行に関する情報に基づいて、前記時間を決定することを特徴とする請求項６に記載の計時装置。
【請求項８】
前記時間の間隔は変動することを特徴とする請求項７に記載の計時装置。
【請求項９】
前記制御部は、前記時間の間隔を前記走行に関する情報に応じて変更することを特徴とする請求項８に記載の計時装置。
【請求項１０】
前記制御部は、前記時間の間隔を目標時間に応じて変更することを特徴とする請求項９に記載の計時装置。
【請求項１１】
前記タイミングは距離であり、前記制御部は、前記走行に関する情報に基づいて前記距離を決定することを特徴とする請求項６に記載の計時装置。
【請求項１２】
ユーザ選択に基づいて、前記タイミングが決定されていることを特徴とする請求項２から５のいずれか一項に記載の計時装置。
【請求項１３】
表示部を光らせる点灯部と、前記点灯部が点灯可能であることを報知する報知部とを備える計時装置が実行する点灯方法であって、
前記点灯部を点灯させる前に前記報知部から報知させる制御手順を有することを特徴とする点灯方法。
【請求項１４】
表示部を光らせる点灯部と、前記点灯部が点灯可能であることを報知する報知部とを備える計時装置のコンピュータに、
前記点灯部を点灯させる前に前記報知部から報知させる制御ステップを実行させるための点灯プログラム。
【発明の詳細な説明】
【技術分野】
【０００１】
本発明は、計時装置、点灯方法及び点灯プログラムに関する。
【背景技術】
【０００２】
従来、液晶表示装置を利用したストップウォッチ機能付携帯型の電子機器は、昼間は外光により表示が視認し易いが、夜間や周囲が暗いところでは表示装置が見にくいので、照明装置を内蔵して液晶表示装置を照明しているものが一般的である。そして、この照明装置は、ユーザが照明用スイッチを操作することにより点灯、あるいは消灯するようになっている。
【０００３】
しかしながら、走行（ランニング）トレーニングを夜間行う際に、走行中に前方を見ないで電子機器を操作することは非常に危険であり、思わぬ事故が懸念される。また、目的とする照明用スイッチがどれであるか分からず、誤って他のスイッチを操作して入力したデータをクリアしてしまったりする等の問題点があった。このような問題を解決するために、特許文献１では、電子機器が自機器の姿勢を検出する姿勢検出手段によって所定の姿勢が検出された際に照明を点灯することが開示されている。
【先行技術文献】
【特許文献】
【０００４】
【特許文献１】特開２００４−４５４３５号公報
【発明の概要】
【発明が解決しようとする課題】
【０００５】
しかしながら、このような姿勢を検出して照明を点灯する場合、歩行又は走行などの運動時に使用する場合、腕の振り方などによっては照明が常時点灯する誤点灯が多く発生する。その場合、照明の点灯は消費電力が大きいので、電子機器の電池寿命が非常に短くなってしまうという問題がある。
【０００６】
そこで本発明は、上記問題に鑑みてなされたものであり、夜間の運動時に使用する照明による消費電力を抑えることで自装置の電池寿命へ与える影響を少なくすることを可能とする計時装置、点灯方法及び点灯プログラムを提供することを課題とする。
【課題を解決するための手段】
【０００７】
（１）本発明は前記事情に鑑みなされたもので、表示部を光らせる点灯部と、前記点灯部が点灯可能であることを報知する報知部と、前記点灯部を点灯させる前に前記報知部から報知させる制御部と、を備えることを特徴とする計時装置である。
【０００８】
（２）上記に記載の計時装置において、本発明の一態様は、前記制御部は、予め決められたタイミング毎に点灯部を点灯させ、前記点灯部を点灯させる前に前記報知部から報知させることを特徴とする。
【０００９】
（３）上記に記載の計時装置において、本発明の一態様は、自装置の姿勢を検出する姿勢検出部と、前記制御部は、予め決められたタイミング毎に前記報知部から報知させ、前記報知部が報知をした後に、前記姿勢検出部が検出した姿勢が予め決められた姿勢の範囲にある場合に前記点灯部を点灯させることを特徴とする。
【００１０】
（４）上記に記載の計時装置において、本発明の一態様は、前記制御部は、前記報知部が報知をした時から予め決められた一定時間内で、最初に前記姿勢検出部が検出した姿勢が予め決められた姿勢の範囲に入った場合のみ、前記点灯部を点灯させることを特徴とする。
【００１１】
（５）上記に記載の計時装置において、本発明の一態様は、前記制御部は、前記報知部が報知をした時から予め決められた一定時間内で、前記姿勢検出部が検出した姿勢が予め決められた姿勢の範囲に入る毎に、前記点灯部を点灯させることを特徴とする。
【００１２】
（６）上記に記載の計時装置において、本発明の一態様は、前記制御部は、走行に関する情報に基づいて、前記タイミングを決定することを特徴とする。
【００１３】
（７）上記に記載の計時装置において、本発明の一態様は、前記タイミングは時間であり、前記制御部は、前記走行に関する情報に基づいて、前記時間を決定することを特徴とする。
【００１４】
（８）上記に記載の計時装置において、本発明の一態様は、前記時間の間隔は変動することを特徴とする。
【００１５】
（９）上記に記載の計時装置において、本発明の一態様は、前記制御部は、前記時間の間隔を前記走行に関する情報に応じて変更することを特徴とする。
【００１６】
（１０）上記に記載の計時装置において、本発明の一態様は、前記制御部は、前記時間の間隔を目標時間に応じて変更することを特徴とする。
【００１７】
（１１）上記に記載の計時装置において、前記タイミングは距離であり、前記制御部は、前記走行に関する情報に基づいて前記距離を決定することを特徴とする。
【００１８】
（１２）上記に記載の計時装置において、ユーザ選択に基づいて、前記タイミングが決定されていることを特徴とする。
【００１９】
（１３）本発明の一態様は、表示部を光らせる点灯部と、前記点灯部が点灯可能であることを報知する報知部とを備える計時装置が実行する制御方法であって、前記点灯部を点灯させる前に前記報知部から報知させる制御手順を有することを特徴とする点灯方法である。
【００２０】
（１４）本発明の一態様は、表示部を光らせる点灯部と、前記点灯部が点灯可能であることを報知する報知部とを備える計時装置のコンピュータに、前記点灯部を点灯させる前に前記報知部から報知させる制御ステップを実行させるための点灯プログラムである。
【発明の効果】
【００２１】
本発明によれば、夜間の運動時に使用する照明による消費電力を抑えることで自装置の電池寿命へ与える影響を少なくすることができる。
【図面の簡単な説明】
【００２２】
【図１】本実施形態における計時装置の概略ブロック図である。
【図２】入力部が備える各キーの配置の例を示した図である。
【図３】処理モードの遷移の一例である。
【図４】本実施形態における計時装置の処理の流れを示すフローチャートの一例である。
【図５】第１の実施例におけるＳＴＡＲＴ／ＳＴＯＰキー処理の流れを示すフローチャートである。
【図６】第２の実施例におけるＳＴＡＲＴ／ＳＴＯＰキー処理の流れを示すフローチャートである。
【図７】第３の実施例におけるＳＴＡＲＴ／ＳＴＯＰキー処理の流れを示すフローチャートである。
【図８】本実施形態におけるＳＥＴ／ＲＥＳＥＴキー処理の流れを示すフローチャートの一例である。
【図９】本実施形態におけるＬＡＰキー処理の流れを示すフローチャートの一例である。
【発明を実施するための形態】
【００２３】
以下、本発明の実施形態について、図面を参照して詳細に説明する。図１は、本実施形態における計時装置１の概略ブロック図である。計時装置１は、入力部１０と、姿勢検出部２０と、記憶部２３と、発振部２６と、電池２９と、時刻計測部３１と、表示部３２と、点灯部３３と、報知部３４と、制御部４０とを備える。
【００２４】
入力部１０は、ユーザからの入力を受け付け、受け付けた入力を制御部４０に出力する。ここで、入力部１０は、ＭＯＤＥキー１１と、ＳＥＴ／ＲＥＳＥＴキー１２と、ＳＴＡＲＴ／ＳＴＯＰキー（選択キー）１３と、照明ＯＮ／ＯＦＦキー（修正キー）１４と、ＬＡＰキー１５とを備える。
ＭＯＤＥキー１１は、処理モードを切り替えるためボタンである。ＳＥＴ／ＲＥＳＥＴキー１２は、計時停止状態のときに押された場合に計測データをリセットするＲＥＳＥＴキーとして動作する。ここで、計時停止状態とは、計時が停止した状態のことである。一方、ＳＥＴ／ＲＥＳＥＴキー１２は、処理モードが修正モードのときに、各種の変更を確定するＳＥＴキーとして動作する。ここで、修正モードとは、各種の設定を修正するモードである。
【００２５】
また、ＳＥＴ／ＲＥＳＥＴキー１２が予め決められた秒数以上長く押されることによって、処理モードが修正モードに切り替わる。この修正モードにおいて、ＳＴＡＲＴ／ＳＴＯＰキー１３は、走行に関する情報（例えば、歩幅、歩行予定距離又は歩行予定時間）を選択する選択キーとして動作する。また、この修正モードにおいて、照明ＯＮ／ＯＦＦキー１４は、走行に関する情報を修正する修正キーとして動作する。なお、この修正モードにおいて、ＬＡＰキーは押されても制御部４０で何も処理がされない無効キーとして動作する。
【００２６】
ＳＴＡＲＴ／ＳＴＯＰキー１３は、リセット状態の時には、計時を開始するＳＴＡＲＴキーとして動作する。ここで、リセット状態とは、まだ計時を開始していない状態（０秒を示す状態）または一度以上計時して計時がリセットされた状態のことである。一方、ＳＴＡＲＴ／ＳＴＯＰキー１３は、計時中には、計時を停止するＳＴＯＰキーとして動作する。
【００２７】
照明ＯＮ／ＯＦＦキー１４は、押すたびに自動照明モードのオンとオフを切り替えるキーとして動作する。ここで、自動照明モードとは、予め決められたタイミングで点灯部３３を点灯させるモードのことである。
ＬＡＰキー１５は、押すたびにラップタイムを取得するキーとして動作する。ＬＡＰキー１５が押されると、ＬＡＰキー１５はＬＡＰキー１５が押された旨を制御部４０に出力する。
【００２８】
姿勢検出部２０は、自装置の姿勢を検出し、検出した姿勢を示す姿勢情報を制御部４０へ出力する。ここで、姿勢検出部２０は、加速度センサ２１と姿勢判定部２２とを備える。
加速度センサ２１は、加速度を検出し、検出することにより得られた加速度信号を姿勢判定部２２へ出力する。加速度センサ２１は、例えば、３軸の加速度センサである。
【００２９】
姿勢判定部２２は、加速度センサ２１から入力された加速度信号に基づいて、姿勢を判定する。具体的には、例えば、姿勢判定部２２は、３軸の加速度から表示部３２の表示面の法線方向を姿勢として判定する。姿勢判定部２２は、判定した姿勢を示す姿勢情報として制御部４０へ出力する。
【００３０】
記憶部２３は、ＲＯＭ２４とＲＡＭ２５とを備える。
ＲＯＭ２４には、制御部４０が読み出して実行する各種のプログラムが記憶されている。
ＲＡＭ２５には、現在の処理モードを示す処理モード情報と、自動照明モードのオンオフを示す自動照明モード情報とが記憶されている。また、ＲＡＭ２５には、計時停止時の計時データ（例えば、５分００秒といったデータ）が記憶されている。ＲＡＭ２５には、制御部４０によりラップタイムが記憶される。また、ＲＡＭ２５には、制御部４０により予め決められた点灯タイミング又は報知タイミングが記憶されている。
【００３１】
発振部２６は、予め決められた周波数で振動するクロック信号を生成し、生成したクロック信号を制御部４０へ出力する。ここで、発振部２６は、発振回路２７と分周回路２８とを備える。
発振回路２７は、予め決められた周波数で発振し、発振により得られた発振信号を分周回路２８へ出力する。
分周回路２８は、発振回路２７から入力された発振信号を、そのクロック信号の周波数より低い予め決められた周波数のクロック信号に変換する。そして、分周回路２８は、変換後のクロック信号を制御部４０へ出力する。
電池２９は、不図示の導線を介して電源を制御部４０をはじめとする各部へ供給する。
【００３２】
時刻計測部３１は、制御部４０から入力されたクロック信号に基づいて現在の時刻を算出し、算出した現在の時刻を制御部４０へ出力する。
表示部３２は、制御部４０の制御によりデータ（例えば、計時開始からの経過時間、ラップタイム、現在の時刻等）を表示する。
【００３３】
点灯部３３は、制御部４０の制御により表示部３２を光らせる。ここで、表示部３２を光らせるとは、元々光っていたものを更に強く光らせるものも含むものとする。これにより、ユーザは、暗闇でも、表示部３２に表示されたデータを認識することができる。また、点灯部３３は、制御部４０の制御に従って、点灯状態と消灯状態とを切り替える。以下では、表示部３２の一例として液晶ディスプレイを想定し、点灯部３３の一例として液晶ディスプレイの裏面に配置されたバックライトを想定して説明する。
【００３４】
報知部３４は、制御部４０の制御により点灯部３３が点灯可能であることを報知する。報知部３４は、スピーカ３５を備える。スピーカ３５は、制御部４０の制御により予め決められた音（例えば、ピピピという音）を出力する。
なお、本実施形態では、報知部３４は音を出力することにより報知したが、これに限らず振動により報知してもよい。
【００３５】
制御部４０は、ＭＯＤＥキー１１が押された旨が入力されると、ＲＡＭ２５に記憶されている処理モード情報が示す処理モードを予め決められた順に沿って切り替える。
制御部４０は、ＳＥＴ／ＲＥＳＥＴキー１２が押された旨が入力されると、計時停止状態のときに計時をリセットし、計時停止状態以外にときであってかつ計時中でない場合に、各種の変更を確定する。ＳＥＴ／ＲＥＳＥＴキー１２が予め決められた秒数以上長く押された場合、制御部４０は、処理モードを修正モードに切り替える。
制御部４０は、ＳＴＡＲＴ／ＳＴＯＰキー１３が押された旨が入力されると、リセット状態の場合に計時を開始させ、計時中の場合に計時を停止させる。
【００３６】
制御部４０は、照明ＯＮ／ＯＦＦキー１４が押された旨が入力されると、ＲＡＭ２５に記憶されている自動照明モードのオンとオフを切り替える。すなわち、制御部４０は、ＲＡＭ２５に記憶されている自動照明モード情報がオンの場合に、照明ＯＮ／ＯＦＦキー１４が押された旨が入力されると、ＲＡＭ２５に記憶されている自動照明モード情報をオフに切り替える。一方、制御部４０は、ＲＡＭ２５に記憶されている自動照明モード情報がオフの場合に、照明ＯＮ／ＯＦＦキー１４が押された旨が入力されると、ＲＡＭ２５に記憶されている自動照明モード情報をオンに切り替える。
【００３７】
また、制御部４０は、ＬＡＰキー１５からＬＡＰキー１５が押された旨を受け取ると、ラップタイムを算出し、算出したラップタイムを記憶部２３のＲＡＭ２５に記憶させる。また、制御部４０は、電池２９から供給された電源により駆動する。また、制御部４０は、時刻計測部３１から入力された現在の時刻を表示部３２に表示させる。
【００３８】
また、制御部４０は、リセット状態にときにＳＴＡＲＴ/ＳＴＯＰキー１３が押されたときからの経過時間を計測することにより、計時開始からの経過時間を計測する。制御部４０は、計時開始からの経過時間を表示部３２に表示させる。
また、制御部４０は、姿勢検出部２０から入力された姿勢情報が示す姿勢が予め決められた姿勢の範囲にあるか否か判定する。予め決められた姿勢とは、例えば、表示部３２の表示面の法線方向が重力方向と反対方向になるときの姿勢である。
【００３９】
また、制御部４０は、予め決められたタイミング毎に点灯部３３又は報知部３４を制御し、点灯部３３を点灯させる前に報知部３４から報知させる。具体的には、その一例として、制御部４０は、予め決められたタイミング毎に点灯部３３を点灯させ、点灯部３３を点灯させる前に報知部３４から報知させる。
【００４０】
また、他の例として、制御部４０は、予め決められたタイミング毎に報知部３４から報知させ、報知部３４が報知をした後に、姿勢検出部２０が検出した姿勢が予め決められた姿勢の範囲にある場合に点灯部３３を点灯させる。その場合、制御部４０は、報知部３４が報知をした時から予め決められた一定時間内で、最初に姿勢検出部２０が検出した姿勢が予め決められた姿勢の範囲に入る場合のみ、制御部は点灯部３３を点灯させてもよい。また、制御部４０は、報知部３４が報知をした時から予め決められた一定時間内で、姿勢検出部２０が検出した姿勢が予め決められた姿勢の範囲に入る毎に、点灯部３３を点灯させてもよい。
【００４１】
図２は、入力部１０が備える各キーの配置の例を示した図である。同図において、表示部３２の周りにＭＯＤＥキー１１とＳＥＴ／ＲＥＳＥＴキー１２とＳＴＡＲＴ／ＳＴＯＰキー１３と照明ＯＮ／ＯＦＦキー１４とＬＡＰキー１５とが示されている。
【００４２】
図３は、処理モードの遷移の一例である。同図において、モードが時刻モード５１、アラームモード５２、タイマーモード５３、クロノグラフモード５４、データ表示モード５５の順で切り替わることが示されている。時刻モード５１は、現在の時刻を表示するモードである。アラームモード５２は、アラームが鳴る時刻を設定するモードである。タイマーモード５３は、ユーザが設定した時間からカウントダウンし、時間がゼロになったときに報音するモードである。クロノグラフモード５４は、計時を行うモードである。データ表示モード５５は、クロノグラフモードで計測したラップタイム等を表示するモードである。
【００４３】
また、同図において時刻モード５１のときにＳＥＴ／ＲＥＳＥＴキー１２が予め決められた時間以上押される、すなわち長押しされることにより、処理モードが修正モード５６へ遷移することが示されている。また、同図において、上記とは反対に修正モード５６のときにＳＥＴ／ＲＥＳＥＴキー１２が予め決められた時間以上押される、すなわち長押しされることにより、処理モードが時刻モード５１へ遷移することが示されている。
【００４４】
例えば、処理モードが時刻モード５１の場合に入力部１０のＭＯＤＥキー１１が押されてモードを切り替える旨が入力された場合、制御部４０は、処理モードをアラームモード５２に切り替える。また、図３の例において、処理モードがデータ表示モード５５の場合に入力部１０のＭＯＤＥキー１１が押されてモードを切り替える旨が入力された場合、制御部４０は、処理モードを時刻モード５１に切り替える。
【００４５】
図４は、本実施形態における計時装置１の処理の流れを示すフローチャートの一例である。まず、制御部４０は、入力部１０のキーが押されたか否か判定する（ステップＳ１０１）。入力部１０のキーが押されていない場合（ステップＳ１０１  ＮＯ）、制御部４０は、入力部１０のキーが押されるまで待機する。一方、入力部１０のキーが押された場合（ステップＳ１０１  ＹＥＳ）、制御部４０は、ＭＯＤＥキー１１が押されたか否か判定する（ステップＳ１０２）。
【００４６】
ＭＯＤＥキー１１が押された場合（ステップＳ１０２  ＹＥＳ）、処理モードを図３に示された順に沿って変更し（ステップＳ１０３）、ステップＳ１０１へ遷移する。一方、ＭＯＤＥキー１１が押されていない場合（ステップＳ１０２  ＮＯ）、処理モードがクロノグラフモードか否か判定する（ステップＳ１０４）。処理モードがクロノグラフモードでない場合（ステップＳ１０４  ＮＯ）、制御部４０は、ステップＳ１０１へ遷移する。
【００４７】
一方、処理モードがクロノグラフモードである場合（ステップＳ１０４  ＹＥＳ）、制御部４０は、照明ＯＮ／ＯＦＦキー１４が押されたか否か判定する（ステップＳ１０５）。照明ＯＮ／ＯＦＦキー１４が押された場合（ステップＳ１０５  ＹＥＳ）、制御部４０は、自動照明選択キー処理を行う（ステップＳ１０６）。この自動照明選択キー処理とは、自動照明モードを切り替える処理であり、自動照明モードがオフのときにはオンにし、自動照明モードがオンのときにはオフにする処理である。
【００４８】
照明ＯＮ／ＯＦＦキー１４が押されていない場合（ステップＳ１０５  ＮＯ）、制御部４０は、ＳＴＡＲＴ／ＳＴＯＰキー１３が押されたか否か判定する（ステップＳ１０７）。ＳＴＡＲＴ／ＳＴＯＰキー１３が押された場合（ステップＳ１０７  ＹＥＳ）、制御部４０は、ＳＴＡＲＴ／ＳＴＯＰキー処理を行う（ステップＳ１０８）。ＳＴＡＲＴ／ＳＴＯＰキー処理の詳細は後述する。
【００４９】
一方、ＳＴＡＲＴ／ＳＴＯＰキー１３が押されていない場合（ステップＳ１０７  ＮＯ）、制御部４０は、ＳＥＴ／ＲＥＳＥＴキー１２が押されたか否か判定する（ステップＳ１０９）。ＳＥＴ／ＲＥＳＥＴキー１２が押された場合（ステップＳ１０９  ＹＥＳ）、制御部４０は、ＳＥＴ／ＲＥＳＥＴキー処理を行う（ステップＳ１１０）。ＳＥＴ／ＲＥＳＥＴキー処理の詳細は後述する。
【００５０】
ＳＥＴ／ＲＥＳＥＴキー１２が押されていない場合（ステップＳ１１０  ＮＯ）、制御部４０は、ＬＡＰキー１５が押されたか否か判定する（ステップＳ１１１）。ＬＡＰキー１５が押された場合（ステップＳ１１１  ＹＥＳ）、制御部４０は、ＬＡＰキー処理を行う（ステップＳ１１２）。ＬＡＰキー処理の詳細は後述する。一方、ＬＡＰキー１５が押されていない場合（ステップＳ１１１  ＮＯ）、ステップＳ１０１へ遷移する。以上で、本フローチャートの説明を終了する。
【００５１】
続いて、図４のステップＳ１０７におけるＳＴＡＲＴ／ＳＴＯＰキー処理について、以下の三つの実施例を示して説明する。
＜第１の実施例＞
図５は、第１の実施例におけるＳＴＡＲＴ／ＳＴＯＰキー処理の流れを示すフローチャートである。まず、制御部４０は、現在の状態がリセット状態か否か判定する（ステップＳ２０１）。
【００５２】
現在の状態がリセット状態にない場合（ステップＳ２０１  ＮＯ）、制御部４０は、計時中か否か判定する（ステップＳ２０２）。計時中である場合（ステップＳ２０２  ＹＥＳ）、制御部４０は計時を停止し（ステップＳ２０３）、ＳＴＡＲＴ／ＳＴＯＰキー処理を終了する。計時中でない場合（ステップＳ２０２  ＮＯ）、制御部４０はＳＴＡＲＴ／ＳＴＯＰキー処理を終了する
【００５３】
一方、ステップＳ２０１において、現在の状態がリセット状態である場合（ステップＳ２０１  ＹＥＳ）、制御部４０は、計時を開始し（ステップＳ２０４）、タイマーを開始させ、ステップＳ２０５へ遷移する。次に、制御部４０は、計時中か否か判定する（ステップＳ２０５）。計時中でない場合（ステップＳ２０５  ＮＯ）、制御部４０はＳＴＡＲＴ／ＳＴＯＰキー処理を終了する。
【００５４】
一方、計時中の場合（ステップＳ２０５  ＹＥＳ）、制御部４０はタイマーが予め決められた点灯間隔に到達したか否か判定する（ステップＳ２０６）。タイマーが予め決められた点灯間隔に到達していない場合（ステップＳ２０６  ＮＯ）、制御部４０はタイマーが予め決められた点灯間隔に到達するまで待機する。
【００５５】
一方、タイマーが予め決められた点灯間隔に到達した場合（ステップＳ２０６  ＹＥＳ）、制御部４０は報知部３４からｍ秒間報音させる（ｍは０より大きい数）。次に、制御部４０はｎ秒間点灯部３３を点灯させる（ｎは０より大きい数）。ここで、ｎ秒はｍ秒と同じであってもよいし、異なっていてもよい。次に、制御部４０はタイマーをリセットし（ステップＳ２０９）、ステップＳ２０５へ遷移する。以上で、本フローチャートの説明を終了する。
【００５６】
以上、第１の実施例において、制御部４０は、計時開始から予め決められた点灯間隔毎に点灯部３３を点灯させ、かつ点灯する前に報知部３４から音を出力する。これにより、ユーザは、夜間又は周囲が暗い場所で、歩行又は走行などの移動時にストップウォッチ機能を使用する場合、照明用スイッチを操作することなく、安全に表示を確認することが出来る。それとともに、制御部４０は点灯部３３が点灯するタイミングでユーザが表示を確認することように仕向けることで、ユーザが余計に照明用スイッチを操作して点灯する回数を抑制することができ、計時装置１の消費電力を抑えることができる。その結果、制御部４０は、電池寿命への影響を少なくすることができる。
【００５７】
＜第２の実施例＞
図６は、第２の実施例におけるＳＴＡＲＴ／ＳＴＯＰキー処理の流れを示すフローチャートである。ステップＳ３０１からステップＳ３０７までの処理は図５におけるステップＳ２０１からステップＳ２０７までの処理と同一であるので、その説明を省略する。
次に、ステップＳ３０８において、制御部４０はタイマーをリセットする（ステップＳ３０８）。制御部４０は、姿勢検出部２０が検出した姿勢に基づいて、表示部３２の表示面の法線方向が重力方向と反対方向である否か判定する（ステップＳ３０９）。
【００５８】
表示部３２の表示面の法線方向が重力方向と反対方向でない場合（ステップＳ３０９  ＮＯ）、制御部４０は表示部３２の表示面の法線方向が重力方向と反対方向になるまで待機する。一方、表示部３２の表示面の法線方向が重力方向と反対方向である場合（ステップＳ３０９  ＹＥＳ）、制御部４０はｎ秒間点灯し（ステップＳ３１０）、ステップＳ３０５へ遷移する。以上で、本フローチャートの説明を終了する。
【００５９】
以上、第２の実施例において、制御部４０は、報音の時から予め決められた一定時間内で、姿勢検出部２０が予め決められた姿勢（例えば、表示部３２の表示面の法線方向が重力方向と反対方向になる姿勢）を最初に検出した場合のみ、制御部４０は点灯部３３を点灯させる。これにより、予め決められた一定時間内においては、制御部４０は１回のみ点灯部３３を点灯させるので、余計な点灯をすることがなく、消費電力を抑えることができる。その結果、制御部４０は、電池寿命への影響を少なくすることができる。
【００６０】
＜第３の実施例＞
図７は、第３の実施例におけるＳＴＡＲＴ／ＳＴＯＰキー処理の流れを示すフローチャートである。ステップＳ４０１からステップＳ４０７までの処理は図５におけるステップＳ２０１からステップＳ２０７までの処理と同一であるので、その説明を省略する。
次に、ステップＳ４０８において、制御部４０はタイマーをリセットする（ステップＳ４０８）。次に、制御部４０は、姿勢検出部２０が検出した姿勢に基づいて、表示部３２の表示面の法線方向が重力方向と反対方向であるか否か判定する（ステップＳ４０９）。
【００６１】
表示部３２の表示面の法線方向が重力方向と反対方向である場合（ステップＳ４０９  ＹＥＳ）、点灯部３３をｎ秒間点灯させ（ステップＳ４１０）、ステップＳ４１１へ遷移する。一方、表示部３２の表示面の法線方向が重力方向と反対方向でない場合（ステップＳ４０９  ＮＯ）、ステップＳ４１１へ遷移する。
【００６２】
次に、ステップＳ４１１において、制御部４０は、予め決められた一定時間が経過したか否か判定する（ステップＳ４１１）。予め決められた一定時間が経過していない場合（ステップＳ４１１  ＮＯ）、制御部４０は、ステップＳ４０９へ遷移する。一方、予め決められた一定時間が経過した場合（ステップＳ４１１  ＹＥＳ）、制御部４０は、ステップＳ４０５へ遷移する。以上で、本フローチャートの説明を終了する。
【００６３】
以上、第３の実施例において、制御部４０は、報音の時から予め決められた一定時間内では、姿勢検出部２０が予め決められた姿勢を検出する毎に、何回でも点灯部３３を点灯させる。これにより、予め決められた一定時間内においては、制御部４０は、姿勢検出部２０が予め決められた姿勢を検出する場合のみ点灯部３３を点灯させ、点灯部３３が余計な点灯をしないので、消費電力を抑えることができる。その結果、制御部４０は、電池寿命への影響を少なくすることができる。
【００６４】
図８は、本実施形態におけるＳＥＴ／ＲＥＳＥＴキー処理の流れを示すフローチャートの一例である。まず、制御部４０は、現在の状態が計時停止状態か否か判定する（ステップＳ５０１）。現在の状態が計時停止状態の場合（ステップＳ５０１  ＹＥＳ）、制御部４０は、計時データをリセットし（ステップＳ５０２）、ＳＥＴ／ＲＥＳＥＴキー処理を終了する。
【００６５】
一方、制御部４０は、現在の状態が計時停止状態でない場合（ステップＳ５０１  ＮＯ）、制御部４０は自動照明モードがオンか否か判定する（ステップＳ５０３）。自動照明モードがオフの場合（ステップＳ５０３  ＮＯ）、制御部４０はＳＥＴ／ＲＥＳＥＴキー処理を終了する。一方、自動照明モードがオンの場合（ステップＳ５０３  ＹＥＳ）、制御部４０はＳＴＡＲＴ／ＳＴＯＰキー（選択キー）１３から入力された修正内容の選択を受け付ける（ステップＳ５０４）。次に、制御部４０は照明ＯＮ／ＯＦＦキー（修正キー）１４から入力された変更を受け付ける（ステップＳ５０５）。
【００６６】
次に、制御部４０は、ＳＥＴ／ＲＥＳＥＴキー１２が押されたか否か判定する（ステップＳ５０６）。ＳＥＴ／ＲＥＳＥＴキー１２が押されていない場合（ステップＳ５０６  ＮＯ）、制御部４０はステップＳ５０４へ遷移する。ＳＥＴ／ＲＥＳＥＴキー１２が押された場合（ステップＳ５０６  ＹＥＳ）、制御部４０は修正内容を確定し、（ステップＳ５０７）、ＳＥＴ／ＲＥＳＥＴキー処理を終了する。以上で、本フローチャートの説明を終了する。
【００６７】
図９は、本実施形態におけるＬＡＰキー処理の流れを示すフローチャートの一例である。まず、制御部４０は、ラップタイムを取得する（ステップＳ６０１）。次に、制御部４０は、点灯部３３を予め決められた時間（例えば、２秒間）点灯させる。以上で、本フローチャートの説明を終了する。
【００６８】
以上、本実施形態における制御部４０は、一度点灯部３３を点灯させた後に、予め決められた点灯間隔経過毎に点灯部３３を点灯させる。これにより、制御部４０は、一度点灯部３３を点灯させた後には、その予め決められた時間が経過するまで点灯部３３を点灯させないので消費電力を抑えることができる。その結果、制御部４０は、電池寿命への影響を少なくすることができる。
【００６９】
また、制御部４０が予め決められた時間経過毎に点灯部３３を点灯させるので、ユーザは点灯部３３が点灯したことを見ることによって前回点灯した時からの経過時間を把握することができる。その結果、ユーザは、点灯部３３が点灯する毎にユーザがいる場所を視認してユーザがどの程度の距離を走行したかを確認することで、走行中のペースを把握することができるので、ユーザが自身の思い通りの走行ができているか否かを確認することができる。
【００７０】
また、本実施形態における第１の実施例において、制御部４０は、計時開始から予め決められた点灯間隔毎に点灯部３３を点灯させ、かつ点灯する前に報知部３４から音を出力する。これにより、ユーザは、夜間又は周囲が暗い場所で、歩行又は走行などの移動時にストップウォッチ機能を使用する場合、照明用スイッチを操作することなく、安全に表示を確認することができる。それとともに、点灯部３３が点灯するタイミングでユーザが表示を確認するように仕向けることで、ユーザが余計に照明用スイッチを操作して点灯する回数を抑制することができ、計時装置１の消費電力を抑えることができる。その結果、制御部４０は、電池寿命への影響を少なくすることができる。
【００７１】
また、本実施形態における第２の実施例において、報音の時から予め決められた一定時間内で、姿勢検出部２０が予め決められた姿勢（例えば、表示部３２の表示面の法線方向が重力方向と反対方向になる姿勢）を最初に検出した場合のみ、制御部４０は点灯部３３を点灯させる。これにより、予め決められた一定時間内においては、制御部４０は１回のみ点灯するので、余計な点灯をすることがないので、消費電力を抑えることができる。その結果、制御部４０は、電池寿命への影響を少なくすることができる。
【００７２】
また、本実施形態における第３の実施例において、制御部４０は、報音の時から予め決められた一定時間内では、姿勢検出部２０が予め決められた姿勢を検出する毎に、何回でも点灯部３３を点灯させる。これにより、予め決められた一定時間内においては、姿勢検出部２０が予め決められた姿勢を検出した場合のみ点灯部３３が点灯し、余計な点灯をすることがないので、消費電力を抑えることができる。その結果、制御部４０は、電池寿命への影響を少なくすることができる。
【００７３】
＜変形例＞
なお、制御部４０は、ＬＡＰ／ＳＴＯＰボタンが押される毎に、点灯部３３を点灯させるようにしてもよい。
本実施形態では、制御部４０は、予め決められた距離（例えば、１キロ）毎に、点灯部３３を点灯させたが、これに限ったものではない。制御部４０は、予め決められた距離（例えば、１キロ）毎に、点灯部３３を点灯させてもよい。これにより、ユーザは、暗い場所でも予め決められた距離毎に計時開始からの経過時間を確認することができるので、ユーザが、自身が思う通りの走行が出来ているか否かを把握することができる。
【００７４】
また、ユーザ選択に基づいて、点灯間隔または報知間隔が決定されていてもよい。
また、ユーザにより走行予定距離又は走行予定時間が入力された場合、制御部４０は、入力された走行予定距離又は走行予定時間のうち少なくとも一つに基づいて、点灯間隔又は報知間隔を決定してもよい。ここで、走行予定距離はユーザが走行を予定する距離である。
【００７５】
制御部４０は、走行予定距離とユーザが実際に走行した距離とに基づいて、点灯間隔又は報知間隔を決定してもよい。具体的には、以下のようにして実現してもよい。ここで、制御部４０が、入力された走行予定距離に基づいて点灯間隔を決定する場合、ユーザにより歩幅が予め入力され、制御部４０はその入力された歩幅を記憶部２３に記憶させたことを想定する。その想定で、制御部４０は、記憶部２３から歩幅を読み出す。また、制御部４０は、姿勢検出部２０から入力された姿勢情報に基づいて、歩数を算出する。そして、制御部４０は、読み出した歩幅に、算出した歩数を乗じることにより、ユーザが走行した距離を算出する。そして、制御部４０は、入力された走行予定距離に対して、ユーザが実際に走行した距離との差が小さくなるに連れて、点灯間隔が短くするように点灯間隔を設定してもよい。
【００７６】
これにより、制御部４０は、走行距離が走行予定距離に近づくに連れて、点灯間隔を短くすることができる。具体的には、例えば、以下のように点灯部３３を点灯させることができる。走行距離として例えば１０キロが入力された場合、制御部４０は、最初の３キロ地点までは点灯部３３を点灯させない。そして、制御部４０は、最初の３キロを走行した場合、予め決められた時間だけ点灯部３３を点灯させ、次の２キロを走行した場合に予め決められた時間だけ点灯部３３を点灯させる。そして、制御部４０は、１キロ毎に点灯部３３を予め決められた時間だけ点灯させ、最後の１キロにおいては、１００メートル毎に点灯部３３を予め決められた時間だけ点灯させる。
【００７７】
その結果、ランニングをしているユーザは、暗い場所でも、走行距離が走行予定距離（例えば、１０キロ）に近づくほど、頻繁に表示部３２に表示されている経過時間を見ることができるので、ユーザは暗い場所でも自身の思い通りに走行できているか否か把握することができる。
【００７８】
また、これに限らず、制御部４０は、最初の予め決められた距離（例えば、最初の２キロ）と最後の予め決められた距離（例えば、最初の２キロ）だけ、点灯部３３の点灯頻度または報知部３４の報知頻度をそれら以外の区間よりも高くしてもよい。
【００７９】
また、制御部４０は、走行予定距離とは関係なく、走行距離に応じて点灯間隔を変更してもよい。例えば、最初の予め決められた距離（例えば、最初の５キロ）は点灯又は報知させず、最初の予め決められた距離（例えば、最初の５キロ）を過ぎてから１キロ走行する毎に点灯又は報知させてもよい。
【００８０】
また、例えば、ユーザにより走行予定時間（例えば、１時間）が入力部１０を介して制御部４０に入力され、記憶部２３に予め走行予定時間が記憶されていることを想定する。その想定で、制御部４０は、記憶部２３に記憶されている走行予定時間を参照して、参照した走行予定時間に基づいて、点灯又は報知の時間を決定してもよい。具体的には、例えば、制御部４０は、計時開始からの経過時間が走行予定時間に近づくに連れて、点灯又は報知の時間間隔を短くしてもよい。例えば、制御部４０は、走行予定時間が１時間の場合、計時開始から時間が経過するに連れて点灯又は報知の時間間隔を２０分、１５分、１０分、５分、５分、５分というように短くしてもよい。ここで、ユーザは走行の最後の方になると、あとどのくらい時間走行するのか確認するために表示部３２を頻繁に確認したいと思われる。制御部４０が上記のように制御することで、暗い場所でも、計時開始から経過時間が走行予定時間に近づくほど、ユーザは計時開始からの経過時間を頻繁に確認できるので、計時装置１はユーザの利便性を向上させることができる。
【００８１】
以上をまとめると、制御部４０は、走行に関する情報（例えば、歩幅、走行予定距離又は走行予定時間）に基づいて、点灯部３３を点灯させるタイミング（以下、点灯タイミングともいう）または報知部３４に報知させるタイミング（以下、報知タイミングともいう）を決定してもよい。その点灯タイミング又は報知タイミングは例えば時間であり、制御部４０は、走行に関する情報に基づいて、点灯部３３を点灯させる時間又は報知部３４に報知させる時間を決定してもよい。ここで、時間は、計時開始からの経過時間で指定してもよいし、複数の時間間隔で指定してもよい。
【００８２】
また、点灯部３３を点灯させる時間の間隔または報知部３４に報知させる時間の間隔は変動してもよく、制御部４０は、その時間の間隔を走行に関する情報に応じて変更してもよい。具体的には、例えば、制御部４０は、計時開始からの経過時間が、走行予定時間に近づくに連れて、点灯又は報知の時間間隔を短くしてもよい。
また、制御部４０は、その時間の間隔を目標時間に応じて変更してもよい。例えば、制御部４０は、目標時間が長くなるに連れて、その時間の間隔を長くしてもよい。
【００８３】
また、点灯タイミングまたは報知タイミングは例えば距離であり、制御部４０は、走行に関する情報に基づいて、点灯部３３を点灯させる距離又は報知部３４に報知させる距離を決定してもよい。ここで、距離は計時開始からの走行距離で指定してもよいし、複数の距離間隔で指定してもよい。
【００８４】
また、本実施形態の計時装置１の各処理を実行するためのプログラムをコンピュータ読み取り可能な記録媒体に記録して、当該記録媒体に記録されたプログラムをコンピュータシステムに読み込ませ、実行することにより、計時装置１に係る上述した種々の処理を行ってもよい。
【００８５】
なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００８６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００８７】
以上、本発明の実施形態について図面を参照して詳述したが、具体的な構成はこの実施形態に限られるものではなく、この発明の要旨を逸脱しない範囲の設計等も含まれる。
【符号の説明】
【００８８】
１  計時装置
１０  入力部
１１  ＭＯＤＥキー
１２  ＳＥＴ／ＲＥＳＥＴキー
１３  ＳＴＡＲＴ／ＳＴＯＰキー（選択キー）
１４  照明ＯＮ／ＯＦＦキー（修正キー）
１５  ＬＡＰキー
２０  姿勢検出部
２１  加速度センサ
２２  姿勢判定部
２３  記憶部
２４  ＲＯＭ
２５  ＲＡＭ
２６  発振部
２７  発振回路
２８  分周回路
２９  電池
３１  時刻計測部
３２  表示部
３３  点灯部
３４  報知部
３５  スピーカ
４０  制御部
【図１】
2013156155.tif 000003
【図２】
2013156155.tif 000004
【図３】
2013156155.tif 000005
【図４】
2013156155.tif 000006
【図５】
2013156155.tif 000007
【図６】
2013156155.tif 000008
【図７】
2013156155.tif 000009
【図８】
2013156155.tif 000010
【図９】
2013156155.tif 000011